(57)【要約】  非ライセンス帯域におけるシグナリング送信のための方法及びデバイスが提供される。前記方法は、少なくとも１つの信号を第１の周波数帯域で送信するための時間及び周波数リソースを定義する信号送信パターンを決定すること（Ｓ２０１）、前記信号送信パターンを、第２の周波数帯域を経由して第１のデバイスへシグナリングすること（Ｓ２０２）、及び、前記信号送信パターンに従って、前記少なくとも１つの信号を、前記第１の周波数帯域を経由して前記第１のデバイスへ送信し、前記少なくとも１つの信号のうちの１つの送信を、前記信号送信パターンにより定義されたその送信のための時間及び周波数リソースがビジーとして検出された場合に、スキップすること（Ｓ２０３）、を含む。上述の方法を使用して送信された信号を受信するための対応する方法及びデバイスも開示される。【選択図】図２ａ
2017501632.tif 000002
【特許請求の範囲】
【請求項１】
無線通信ネットワークにおける信号送信のための方法であって、
少なくとも１つの信号を第１の周波数帯域で送信するための時間及び周波数リソースを定義する信号送信パターンを決定すること、
前記信号送信パターンを、第２の周波数帯域を経由して第１のデバイスへシグナリングすること、及び
前記信号送信パターンに従って、前記少なくとも１つの信号を、前記第１の周波数帯域を経由して前記第１のデバイスへ送信し、前記少なくとも１つの信号のうちの１つの送信を、前記信号送信パターンにより定義されたその送信のための時間及び周波数リソースがビジーとして検出された場合に、スキップすること、を含む方法。
【請求項２】
前記少なくとも１つの信号の各々を送信する前に、前記第１の周波数帯域でチャネル検出を実行すること、及び
前記チャネル検出の結果を基に、前記少なくとも１つの信号のうちの１つの送信をスキップするかどうかを決定すること、をさらに含む、請求項１に記載の方法。
【請求項３】
前記チャネル検出の結果を基に、前記少なくとも１つの信号のうちの１つの送信をスキップするかどうかを決定することは、
前記少なくとも１つの信号のうちの１つの送信を、その送信のための前記時間及び周波数リソースがビジーとして検出された場合に、スキップすること、及び
前記スキップされた送信に対応する前記時間及び周波数リソースで前記チャネル検出を継続することを含む、請求項２に記載の方法。
【請求項４】
前記信号送信パターンは、周期的な送信、適時的な（opportunistic）送信、及びこれらの組み合わせのうちの１つのための時間及び周波数リソースを定義する、請求項１に記載の方法。
【請求項５】
前記少なくとも１つの信号は、参照信号、同期信号、及び制御シグナリングのうちの少なくとも１つを含む、請求項１に記載の方法。
【請求項６】
前記少なくとも１つの信号のうちの１つの送信のための前記時間及び周波数リソースは、同じ周波数リソースの受信信号パワーが閾値を超えた場合にビジーとして検出され、前記閾値は、受信感度を基に決定されるか、又は、固定されるように設定可能である、請求項１に記載の方法。
【請求項７】
前記第１の周波数帯域でリッスンビフォートーク動作モードを採用するかどうかを決定すること、及び
リッスンビフォートークモードが採用されると決定された場合にのみ、決定、シグナリング、送信、及びスキップのステップを実行することをさらに含む、請求項１に記載の方法。
【請求項８】
前記第１の周波数帯域は非ライセンス周波数帯域であり、前記第２の周波数帯域はライセンス周波数帯域である、請求項１から７のいずれかに記載の方法。
【請求項９】
前記第１の周波数帯域及び／又は前記第２の周波数帯域は、マルチキャリアを有する、請求項１から７のいずれかに記載の方法。
【請求項１０】
前記第１の周波数帯域の少なくとも１つのキャリア、及び、前記第２の周波数帯域の少なくとも１つのキャリアは、キャリアアグリゲーション又はデュアルコネクティビティとして前記第１のデバイスのために設定される、請求項９に記載の方法。
【請求項１１】
信号送信パターンを決定すること、及び、前記信号送信パターンを前記第１のデバイスへシグナリングすることは、第２のデバイスにより実行され、前記少なくとも１つの信号を前記第１の周波数帯域を経由して前記第１のデバイスへ送信することは、前記第２のデバイスとは異なる第３のデバイスにより実行される、請求項１から７のいずれかに記載の方法。
【請求項１２】
無線通信ネットワークにおける信号受信のための方法であって、
第１の周波数帯域で使用される信号送信パターンであって、少なくとも１つの信号を送信するための時間及び周波数リソースを定義する信号送信パターンを示す設定シグナリング（configuration signaling）を、第２の周波数帯域を経由して受信すること、及び
前記信号送信パターンに従って、前記少なくとも１つの信号を、前記第１の周波数帯域を経由して受信すること、を含む方法。
【請求項１３】
前記信号送信パターンは、周期的な送信、適時的な（opportunistic）送信、及びこれらの組み合わせのうちの１つのための時間及び周波数リソースを定義する、請求項１２に記載の方法。
【請求項１４】
前記少なくとも１つの信号は、参照信号、同期信号、及び制御シグナリングのうちの少なくとも１つを含む、請求項１２に記載の方法。
【請求項１５】
前記第１の周波数帯域は非ライセンス周波数帯域であり、前記第２の周波数帯域はライセンス周波数帯域である、請求項１２から１４のいずれかに記載の方法。
【請求項１６】
前記第１の周波数帯域及び／又は前記第２の周波数帯域は、マルチキャリアを有する、請求項１２から１４のいずれかに記載の方法。
【請求項１７】
前記第１の周波数帯域の少なくとも１つのキャリア、及び、前記第２の周波数帯域の少なくとも１つのキャリアは、キャリアアグリゲーション又はデュアルコネクティビティとしてデバイスのために設定される、請求項１６に記載の方法。
【請求項１８】
前記設定シグナリングは、第１の装置から受信され、前記少なくとも１つの信号は、前記第１の装置とは異なる第２の装置から受信される、請求項１２から１４のいずれかに記載の方法。
【請求項１９】
無線通信ネットワークにおける信号送信のためのデバイスであって、
少なくとも１つの信号を第１の周波数帯域で送信するための時間及び周波数リソースを定義する信号送信パターンを決定するように構成される決定ユニット、
前記信号送信パターンを、第２の周波数帯域を経由して第１のデバイスへシグナリングするように構成される第１の送信ユニット、及び
前記信号送信パターンに従って、前記少なくとも１つの信号を、前記第１の周波数帯域を経由して前記第１のデバイスへ送信し、前記少なくとも１つの信号のうちの１つの送信を、前記信号送信パターンにより定義されたその送信のための時間及び周波数リソースがビジーとして検出された場合に、スキップするように構成される第２の送信ユニット、を有するデバイス。
【請求項２０】
前記少なくとも１つの信号の各々を送信する前に、前記第１の周波数帯域でチャネル検出を実行するように構成されるチャネル検出ユニットをさらに有し、
前記第２の送信ユニットはさらに、前記チャネル検出の結果を基に、前記少なくとも１つの信号のうちの１つの送信をスキップするかどうかを決定するように構成される、請求項１９に記載のデバイス。
【請求項２１】
前記第２の送信ユニットはさらに、前記少なくとも１つの信号のうちの１つの送信を、前記チャネル検出ユニットにより、その送信のための前記時間及び周波数リソースがビジーとして検出された場合に、スキップするように構成され、
前記チャネル検出ユニットはさらに、前記スキップされた送信に対応する前記時間及び周波数リソースで前記チャネル検出を継続するように構成される、請求項２０に記載のデバイス。
【請求項２２】
前記信号送信パターンは、周期的な送信、適時的な（opportunistic）送信、及びこれらの組み合わせのうちの１つのための時間及び周波数リソースを定義する、請求項１９に記載のデバイス。
【請求項２３】
前記少なくとも１つの信号は、参照信号、同期信号、及び制御シグナリングのうちの少なくとも１つを含む、請求項１９に記載のデバイス。
【請求項２４】
前記少なくとも１つの信号のうちの１つの送信のための前記時間及び周波数リソースは、同じ周波数リソースの受信信号パワーが閾値を超えた場合にビジーとして検出され、前記閾値は、受信感度を基に決定されるか、又は、固定されるように設定可能である、請求項１９に記載のデバイス。
【請求項２５】
前記第１の周波数帯域でリッスンビフォートーク動作モードを採用するかどうかを決定するように構成されるモード決定ユニットをさらに有し、
前記決定ユニット、前記第１の送信ユニット、及び前記第２の送信ユニットは、リッスンビフォートークモードが採用されると決定された場合にのみ動作するように構成される、請求項１９に記載のデバイス。
【請求項２６】
前記第１の周波数帯域は非ライセンス周波数帯域であり、前記第２の周波数帯域はライセンス周波数帯域である、請求項１９から２５のいずれかに記載のデバイス。
【請求項２７】
前記第１の周波数帯域及び／又は前記第２の周波数帯域は、マルチキャリアを有する、請求項１９から２５のいずれかに記載のデバイス。
【請求項２８】
前記第１の周波数帯域の少なくとも１つのキャリア、及び、前記第２の周波数帯域の少なくとも１つのキャリアは、キャリアアグリゲーション又はデュアルコネクティビティとして前記第１のデバイスのために設定される、請求項２７に記載のデバイス。
【請求項２９】
前記デバイスは、複数の装置に分散されて実装され、前記決定ユニット及び前記第１の送信ユニットは、第１の装置に実装され、前記第２の送信ユニットは、前記第１の装置から分離された第２の装置に実装される、請求項１９から２５のいずれかに記載のデバイス。
【請求項３０】
無線通信ネットワークにおける信号受信のためのデバイスであって、
第１の周波数帯域で使用される信号送信パターンであって、少なくとも１つの信号を送信するための時間及び周波数リソースを定義する信号送信パターンを示す設定シグナリング（configuration signaling）を、第２の周波数帯域を経由して受信するように構成される第１の受信ユニット、及び
前記信号送信パターンに従って、前記少なくとも１つの信号を、前記第１の周波数帯域を経由して受信するように構成される第２受信ユニット、を有するデバイス。
【請求項３１】
前記信号送信パターンは、周期的な送信、適時的な（opportunistic）送信、及びこれらの組み合わせのうちの１つのための時間及び周波数リソースを定義する、請求項３０に記載のデバイス。
【請求項３２】
前記少なくとも１つの信号は、参照信号、同期信号、及び制御シグナリングのうちの少なくとも１つを含む、請求項３０に記載のデバイス。
【請求項３３】
前記第１の周波数帯域は非ライセンス周波数帯域であり、前記第２の周波数帯域はライセンス周波数帯域である、請求項３０から３２のいずれかに記載のデバイス。
【請求項３４】
前記第１の周波数帯域及び／又は前記第２の周波数帯域は、マルチキャリアを有する、請求項３０から３２のいずれかに記載のデバイス。
【請求項３５】
前記第１の周波数帯域の少なくとも１つのキャリア、及び、前記第２の周波数帯域の少なくとも１つのキャリアは、キャリアアグリゲーション又はデュアルコネクティビティとして前記デバイスのために設定される、請求項３４に記載のデバイス。
【請求項３６】
前記設定シグナリングは、第１の装置から受信され、前記少なくとも１つの信号は、前記第１の装置とは異なる第２の装置から受信される、請求項３０から３２のいずれかに記載のデバイス。
【発明の詳細な説明】
【技術分野】
【０００１】
本発明の実施形態は、一般的には無線通信に関し、より具体的には、非ライセンス帯域におけるシグナリング送信のための方法及び装置に関する。
【背景技術】
【０００２】
無線通信においては、データ転送速度の高速化の要求が増え続けており、第３世代プロジェクトパートナーシップ（３ＧＰＰ：third generation project partnership）により展開されたロングタームエボリューション（ＬＴＥ：Long Term Evolution）は、そのような要求を満たし、大きな成功を収めたプラットフォームであることが明らかになっている。近年、ＬＴＥは、多くの様々な国／地域に広く展開されている。ＬＴＥシステムは、他のシステムとの干渉を回避するために、また、通信性能を満たすことを保証するために、専用のライセンス周波数帯域で動作するようにデザインされている。しかし、データ転送速度の高速化の要求が増え続けると、それと同時に、利用可能なライセンス周波数リソースが少なくなり、ますますセルラーネットワークオペレータは、彼らが提供するサービスを増加させるために、無料ツール（complimentary tool）として非ライセンススペクトラムを利用することを真剣に考え始めることになる。
【０００３】
非ライセンス帯域を利用するための１つの代替方法は、“ライセンス補助アクセス（Licensed-Assisted Access）”と呼ばれており、これは、非ライセンス帯域の利用が、ライセンス帯域からの制御下にあること、例えば、ライセンス帯域がプライマリコンポーネントキャリアとして設定され、その一方で、非ライセンス帯域がセカンダリコンポーネントキャリアとして設定されることを意味する。このような展開シナリオによって、オペレータ及びベンダは、ＬＴＥ／ＥＰＣ（Evolved Packet Core）ハードウェアにおける既存の又は計画された投資を最大限に活用することが可能になる。
【０００４】
しかし、非ライセンス帯域は、セルラネットワーク使用のための専用の帯域ではなく、その一方で、Ｗｉ−Ｆｉを含む様々な無線通信システムにより共有される。様々な無線通信システム間の干渉を回避／低減するために、幾つかの国においては、非ライセンス帯域で使用されるアクセス技術は、一定の規定、例えば、リッスンビフォートーク（ＬＢＴ：Listen-Before-Talk）及びチャネル帯域幅占有要件を順守する必要がある。様々なＬＴＥオペレータ間と同様に、ＬＴＥとＷｉ−Ｆｉ等の他の技術との間の公正な共存が必要となる。
【０００５】
非ライセンス帯域のための規定に従うためには、現在のセルラ無線通信技術、例えば、ＬＴＥは、非ライセンス帯域で使用される場合には、修正が必要となる；そして同時に、これら通信技術及び対応する数秘（numerologies）のための現在のデザインは、製品のコスト及び標準化のための努力を低減するために、可能な限り再利用されるべきである。
【０００６】
本明細書で使用される略語の意味は、以下の通りである。
ＡＰ                    Access point
ＢＳ                    Base Station
ＣＲＳ                  Cell-specific Reference Signal
ＣＳＩ−ＲＳ            Channel state Information Reference Signal
ｅＮＢ                  Evolved Node B
ＧＳＭ（登録商標）      Global system for mobile communications
ＬＢＴ                  Listen before talk
ＬＴＥ                  Long Term Evolution
ＭＩＢ                  Master Information Block
ＰＳＳ                  Primary Synchronization Signal
ＳＦ                    Subframe
ＳＩＢ                  System Information Block Type 1
ＳＳＳ                  Secondary Synchronization Signal
ＴＤＭ                  Time Division Multiplexing
ＵＥ                    User Equipment
ＳＦＮ                  System Frame Number
ＷＣＤＭＡ（登録商標）  Wideband Code Division Multiple Access
【発明の概要】
【０００７】
従って、非ライセンス帯域における基本的な検出及び測定を可能にし、セルラ通信使用のための非ライセンス帯域リソースの使用を容易にし、それと同時に、様々な無線通信システムにより共有されるリソースの公正な利用を可能にするために、本明細書では方法及び装置が提供される。
【０００８】
本発明の様々な実施形態は、上述の問題及び不利点の少なくとも一部を処理することを目的とする。本発明の実施形態の他の特徴及び利点は、以下の具体的な実施形態の説明から、本発明の実施形態の原理を例として示す添付図面と併せてその説明を読んだ時に、理解される。
【０００９】
本発明の実施形態の様々な態様は、付加されたクレームに記述され、このセクションで要約される。本発明の保護範囲は、付加されたクレームによってのみ限定されることに留意すべきである。
【００１０】
本発明の第１の態様によれば、本発明の実施形態は、無線通信ネットワークにおける信号送信のための方法を提供し、前記方法は、少なくとも１つの信号を第１の周波数帯域で送信するための時間及び周波数リソースを定義する信号送信パターンを決定すること、前記信号送信パターンを、第２の周波数帯域を経由して第１のデバイスへシグナリングすること、及び、前記信号送信パターンに従って、前記少なくとも１つの信号を、前記第１の周波数帯域を経由して前記第１のデバイスへ送信し、前記少なくとも１つの信号のうちの任意の送信を、前記信号送信パターンにより定義されたその送信のための時間及び周波数リソースがビジーとして検出された場合に、スキップすること、を含む。
【００１１】
本発明の一実施形態によれば、前記方法は、前記少なくとも１つの信号の各々を送信する前に、前記第１の周波数帯域でチャネル検出を実行すること、及び、前記チャネル検出の結果を基に、前記少なくとも１つの信号のうちの１つの送信をスキップするかどうかを決定すること、をさらに含む。
【００１２】
本発明の別の実施形態によれば、前記チャネル検出の結果を基に、前記少なくとも１つの信号のうちの１つの送信をスキップするかどうかを決定することは、前記少なくとも１つの信号のうちの１つの送信を、その送信のための前記時間及び周波数リソースがビジーとして検出された場合に、スキップすること、及び、前記スキップされた送信に対応する前記時間及び周波数リソースで前記チャネル検出を継続することを含む。
【００１３】
本発明のさらなる実施形態によれば、前記信号送信パターンは、周期的な送信、適時的な（opportunistic）送信、及びこれらの組み合わせのうちの１つのための時間及び周波数リソースを定義する。
【００１４】
本発明の別の実施形態によれば、前記少なくとも１つの信号は、参照信号、同期信号、及び制御シグナリングのうちの少なくとも１つを含む。
【００１５】
本発明のさらに別の実施形態によれば、前記少なくとも１つの信号のうちの１つの送信のための前記時間及び周波数リソースは、同じ周波数リソースの受信信号パワーが閾値を超えた場合にビジーとして検出され、前記閾値は、受信感度を基に決定されるか、又は、固定されるように設定可能である。
【００１６】
本発明のさらなる実施形態によれば、前記方法は、前記第１の周波数帯域でリッスンビフォートーク（ＬＴＢ：listen before talk）動作モードを採用するかどうかを決定すること、及び、リッスンビフォートークモードが採用されると決定された場合にのみ、決定、シグナリング、送信、及びスキップのステップを実行することをさらに含む。本発明の一実施形態によれば、前記第１の周波数帯域でリッスンビフォートーク（ＬＴＢ）動作モードを採用するかどうかを決定することは、前記第１の周波数帯域のための規定、及び／又は、前記デバイスの能力、例えば、ｅＮＢがＬＢＴ動作が可能であるかどうかといった能力に基づいている。
【００１７】
本発明のさらに別の実施形態においては、前記第１の周波数帯域は非ライセンス周波数帯域であり、前記第２の周波数帯域はライセンス周波数帯域である。
【００１８】
本発明の一実施形態によれば、前記第１の周波数帯域及び／又は前記第２の周波数帯域は、マルチキャリアを有する。本発明の別の実施形態によれば、前記第１の周波数帯域の少なくとも１つのキャリア、及び、前記第２の周波数帯域の少なくとも１つのキャリアは、キャリアアグリゲーション又はデュアルコネクティビティとして前記第１のデバイスのために設定される。
【００１９】
本発明の一実施形態によれば、信号送信パターンを決定すること、及び、前記信号送信パターンを前記第１のデバイスへシグナリングすることは、第２のデバイスにより実行され、前記少なくとも１つの信号を前記第１の周波数帯域を経由して前記第１のデバイスへ送信することは、前記第２のデバイスとは異なる第３のデバイスにより実行される。
【００２０】
本発明の第２の態様によれば、本発明の実施形態は、無線通信ネットワークにおける信号受信のための方法を提供し、前記方法は、第１の周波数帯域で使用される信号送信パターンであって、少なくとも１つの信号を送信するための時間及び周波数リソースを定義する信号送信パターンを示す設定シグナリング（configuration signaling）を、第２の周波数帯域を経由して受信すること、及び、前記信号送信パターンに従って、前記少なくとも１つの信号を、前記第１の周波数帯域を経由して受信すること、を含む。
【００２１】
本発明の一実施形態によれば、前記信号送信パターンは、周期的な送信、適時的な（opportunistic）送信、及びこれらの組み合わせのうちの１つのための時間及び周波数リソースを定義する。
【００２２】
本発明の別の実施形態によれば、前記少なくとも１つの信号は、参照信号、同期信号、及び制御シグナリングのうちの少なくとも１つを含む。
【００２３】
本発明の幾つかの実施形態においては、前記第１の周波数帯域は非ライセンス周波数帯域であり、前記第２の周波数帯域はライセンス周波数帯域である。
【００２４】
本発明の一実施形態によれば、前記第１の周波数帯域及び／又は前記第２の周波数帯域は、マルチキャリアを有する。本発明の別の実施形態によれば、前記第１の周波数帯域の少なくとも１つのキャリア、及び、前記第２の周波数帯域の少なくとも１つのキャリアは、キャリアアグリゲーション又はデュアルコネクティビティとしてデバイスのために設定される。
【００２５】
本発明のさらなる実施形態によれば、前記設定シグナリングは、第１の装置から受信され、前記少なくとも１つの信号は、前記第１の装置とは異なる第２の装置から受信される。
【００２６】
第３の態様によれば、本発明の実施形態は、第１の態様で説明した方法を実施する対応するデバイスを提供する。
【００２７】
第４の態様によれば、本発明の実施形態は、第２の態様で説明した方法を実施する対応するデバイスを提供する。
【図面の簡単な説明】
【００２８】
本発明の様々な実施形態の上述の及び他の態様、特徴、及び利点は、以下の詳細な説明、及び、参照記号が同じ又は同様の要素に言及している添付図面からより明確になる。図面は、開示される実施形態の理解をより容易にするために図示されており、必ずしも正確なスケールで示されてはいない：
【００２９】
【図１】本発明の一実施形態が実施可能な無線ネットワークの概略図である。
【００３０】
【図２ａ】本発明の一実施形態による、無線通信ネットワークにおける信号送信のための方法のフローチャートである。
【００３１】
【図２ｂ】本発明の別の実施形態による、無線通信ネットワークにおける信号送信のための方法のフローチャートである。
【００３２】
【図２ｃ】本発明のさらに別の実施形態による、無線通信ネットワークにおける信号送信のための方法のフローチャートである。
【００３３】
【図３ａ】本発明の一実施形態による、信号送信パターン及び対応するチャネル検出の例である。
【図３ｂ】本発明の一実施形態による、信号送信パターン及び対応するチャネル検出の例である。
【図３ｃ】本発明の一実施形態による、信号送信パターン及び対応するチャネル検出の例である。
【図３ｄ】本発明の一実施形態による、信号送信パターン及び対応するチャネル検出の例である。
【図３ｅ】本発明の一実施形態による、信号送信パターン及び対応するチャネル検出の例である。
【図３ｆ】本発明の一実施形態による、信号送信パターン及び対応するチャネル検出の例である。
【００３４】
【図４】本発明の一実施形態による、無線通信ネットワークにおける信号受信のための方法のフローチャートである。
【００３５】
【図５ａ】本発明の一実施形態による、無線通信ネットワークにおける信号送信のためのデバイスのブロック図である。
【００３６】
【図５ｂ】本発明の別の実施形態による、無線通信ネットワークにおける信号送信のための分散型デバイスのブロック図である。
【００３７】
【図６】本発明の一実施形態による、無線通信ネットワークにおける信号受信のためのデバイスのブロック図である。
【発明を実施するための形態】
【００３８】
幾つかの好適な実施形態が、本開示の好適な実施形態を示す添付図面を参照してより詳細に説明される。しかし、本開示は、様々な方法で実施可能であり、そのため、ここで説明される実施形態に限定されると解釈されるべきではない。その一方で、これらの実施形態は、本開示の詳細かつ完全な理解のために及び当業者に本開示の範囲を完全に伝えるために提供される。
【００３９】
以下の説明において、本発明の実施形態の多くの具体的な詳細が記述される。しかし、本発明の実施形態は、これらの具体的な詳細なしで実施されても良いことは理解されたい。他の例において、周知の回路、構造、及び技術は、この説明の理解を妨げないために詳細には示されていない。当業者は、含まれる説明を参照して、過度の実験を行うことなく、適切な機能を実施することができる。
【００４０】
本明細書において、“一実施形態（one embodiment）”、“一実施形態（an embodiment）”、“一例の実施形態（an example embodiment）”等を参照することは、説明される実施形態が、特定の特徴、構造、又は特性を含むが、全ての実施形態が、特定の特徴、構造、又は特性を必ずしも含まなくても良いことを示している。さらに、そのようなフレーズは、同じ実施形態を参照することを必要としない。さらに、特定の特徴、構造、又は特徴が、実施形態に関連して説明される場合には、明示的に説明又は説明しない他の実施形態に関連して、当業者の知識内に、このような特徴、構造、又は特徴が影響を与えることを示している。“a”、“an”、及び“the”といった単数形は、明示的に示さない限り、複数の指示対象を含むことは理解されるべきである。
【００４１】
ここで、図１を参照すると、本発明の一実施形態による方法が適用可能な無線ネットワークシナリオの例が示されている。無線ネットワーク１００は、ｅＮｏｄｅ  Ｂ、ｅＮＢ、ピコｅＮＢ、フェムトｅＮＢとして知られる、ｅｖｏｌｖｅｄ  Ｎｏｄｅ  Ｂの形式である、１つ以上のネットワークノード１０１及び１０３を有する。ネットワークノード１０１は、Ｎｏｄｅ  Ｂ、ＢＴＳ（Base Transceiver Station）、ＢＳ（Base Station）、及び／又は、ＢＳＳ（Base Station Subsystem）等の形式にすることができる。ネットワークノード１０３は、ネットワークノード１０１とは、異なる無線アクセス技術（ＲＡＴ：radio access technology）で、及び／又は、異なる周波数帯域で、動作しても良い。例えば、ネットワークノード１０１は、ライセンス帯域で動作するＬＴＥ  ｅＮＢとし、その一方で、ネットワークノード１０３は、非ライセンス帯域で動作するＷｉ−Ｆｉアクセスポイント（ＡＰ：access point）としても良い。別の例においては、ネットワークノード１０１及び１０３の双方は、ライセンス周波数帯域で動作しているが、異なるキャリアを使用する。また、ネットワークノード１０１及び１０３の双方は、同じキャリアで動作可能であることは留意すべきである。ネットワークノード１０１及び１０３は、複数のユーザ装置（ＵＥ：user equipment）１０２に無線コネクティビティを提供する。また、ユーザ装置なる用語は、モバイル通信端末、無線端末、モバイル端末、ユーザ端末、ユーザエージェント、マシンツーマシンデバイス等として知られており、例えば、携帯電話、又は、無線接続若しくは固定設置されたタブレット／ラップトップ端末として今日では一般的に知られているものにすることができる。さらに、ＵＥ１０２は、必ずしも必要ではないが、特定のエンドユーザーと関連付けられても良い。図示の目的のために、無線ネットワーク１００は、３ＧＰＰ  ＬＴＥネットワークであるものとして示されているが、本発明の実施形態は、このようなネットワークシナリオには限定されず、提案される方法及びデバイスは、他の無線ネットワーク、例えば、ＧＳＭ（登録商標）又はＷＣＤＭＡ（登録商標）ネットワークに適用することもできる。
【００４２】
図１に示されるネットワーク１００においては、ネットワークノード、例えば、ｅＮＢ１０１は、まず、周波数帯域Ｂ１でキャリアＣ１を経由して、ＵＥ１０２へのサービスを提供し、そして、増加するＵＥにサービスを提供するために又は増加するスループットを提供するために、より多くの周波数リソースが必要になった場合、ｅＮＢ１０１は、例えば、キャリアアグリゲーション（ＣＡ：carrier aggregation）を使用することにより、別の周波数帯域Ｂ２で別のキャリアＣ２を経由して、ＵＥ１０２へのサービスを提供しても良い；又は、ｅＮＢ１０１は、デュアルコネクティビティを使用することにより、別のネットワークノード、例えば、別の周波数帯域Ｂ２で別のキャリアＣ２で動作するピコｅＮＢ１０３と一緒に、ＵＥ１０２へのサービスを提供しても良い。３ＧＰＰ  ＬＴＥリリース１０により示されたＣＡシナリオにおいては、ＵＥには、各々が異なるネットワークノードにより提供されたか、又は、双方のキャリアが同じネットワークノードにより提供されたマルチキャリアを設定することができる。マルチキャリアは、同じ又は異なる周波数帯域に属することができる。設定されるマルチキャリアの間では、１つのキャリアがプライマリコンポーネントキャリア（ＰＣＣ：primary component carrier）と指定され、その一方で、他のキャリアはセカンダリコンポーネントキャリア（ＳＣＣ：secondary component carrier）と呼ばれる。リリース１２のために３ＧＰＰ  ＬＴＥで議論されたデュアルコネクティビティシナリオにおいては、与えられるＵＥは、非理想的なバックホールに接続されている少なくとも２つの異なるネットワークポイントにより提供された無線リソースを消費する。さらに、ＵＥのためのデュアルコネクティビティに含まれる各ｅＮＢは、異なる役割、すなわち、１つのｅＮＢはマスタｅＮＢとしてサーブし、その一方で、他のｅＮＢはセカンダリｅＮＢとしてサーブすると仮定しても良い。これらの役割は必ずしもｅＮＢのパワークラスに依存せず、ＵＥ間で変更することができる。一般には、プライマリセル／マスタｅＮＢは、正確なシグナリング送信を保証するために、ライセンス帯域で動作すべきであり、その一方で、セカンダリセル／ｅＮＢは、ライセンス又は非ライセンス帯域のどちらで動作することもできる。
【００４３】
上述のＣＡ又はデュアルコネクティビティシナリオにおいては、第２の帯域Ｂ２が、他の無線ネットワーク又は別のセルと共有される周波数帯域である場合、例えば、第２の帯域Ｂ２が非ライセンス帯域であり、別のＷｉ−Ｆｉ  ＡＰ１０３とｅＮＢ１０１により共有される場合、周波数帯域Ｂ２でキャリアＣ２を経由するｅＮＢ１０１とＵＥ１０２との間の通信は、他のネットワーク／セルへの／からの干渉を回避する必要があるかもしれない。別の例においては、第２の帯域Ｂ２は、幾つかのピコｅＮＢ１０３により共有されるライセンス帯域とすることができ、そのようなケースにおいて、第２の帯域Ｂ２を利用する場合（例えば、キャリアＣ１でマスタｅＮＢとして動作するｅＮＢ１０１と、キャリアＣ２でセカンダリｅＮＢとして動作するピコｅＮＢ１０３と、のデュアルコネクティビティ技術を使用して）、他のネットワークノード／セルへの／からの干渉も考慮されるべきである。本発明の実施形態においては、方法及びデバイスは、他の無線ネットワーク／セルへの／からの干渉がないことを保証する共有周波数帯域での通信を可能にするために提供される。
【００４４】
ここで、図２ａを参照すると、無線ネットワークにおいて、信号を送信するための方法２００の例のためのフローチャートが示されている。方法２００は、少なくとも１つの信号を第１の周波数帯域で送信するための時間及び周波数リソースを定義する信号送信パターンを決定するステップＳ２０１；信号送信パターンを、第２の周波数帯域を経由して第１のデバイス（例えば、図１に示されるＵＥ１０２）へシグナリングするステップＳ２０２；ステップＳ２０１で決定され、ステップＳ２０２でＵＥ１０２へシグナリングされた信号送信パターンに従って、少なくとも１つの信号を、第１の周波数帯域を経由して第１のデバイスへ送信し、少なくとも１つの信号のうちの１つの送信を、信号送信パターンにより定義されたその送信のための時間及び周波数リソースがビジーとして検出された場合に、スキップするステップＳ２０３を含む。
【００４５】
本発明の一実施形態においては、第１の周波数帯域は非ライセンス周波数帯域であり、第２の周波数帯域はライセンス周波数帯域であるが、本発明はこれには限定されない。本発明の別の実施形態においては、第１の周波数帯域及び第２の周波数帯域の双方をライセンス周波数帯域とすることができ、例えば、第１の周波数帯域は、他のセルと共有される周波数帯域であり、セカンダリキャリアとしてサーブし、その一方で、第２の周波数帯域は、プライマリキャリアとしてサーブすることができる；本発明のさらに別の実施形態においては、それら双方を非ライセンス帯域とすることができる。本発明の一実施形態によれば、第１の周波数帯域及び／又は第２の周波数帯域は、マルチキャリアを有する。本発明の別の実施形態によれば、第１の周波数帯域の少なくとも１つのキャリア、及び、第２の周波数帯域の少なくとも１つのキャリアは、キャリアアグリゲーション又はデュアルコネクティビティとして第１のデバイスのために設定される。
【００４６】
本発明の一実施形態においては、ステップＳ２０３で送信される少なくとも１つの信号は、参照信号、同期信号、及び制御信号のうちの少なくとも１つを含む。例えば、少なくとも１つの信号は、ＣＲＳ若しくはＣＳＩ−ＲＳ、ＰＳＳ及びＳＳＳ、又は、システム情報のような幾つかの共通制御シグナリングとすることができる。
【００４７】
本発明の一実施形態においては、信号送信パターンは、周期的な送信、適時的な（opportunistic）送信、及びこれらの組み合わせのうちの１つのための時間及び周波数リソースを定義する。
【００４８】
図３ａ〜図３ｆにおいては、信号送信パターンの幾つかの例が提供される。図３ａの例においては、ステップＳ２０１で決定された信号送信パターンに従って、ＣＲＳ／ＣＳＩ−ＲＳ信号がステップＳ２０３で周期的に送信されると仮定している。図３ａに示されるように、ＣＲＳ／ＣＳＩ−ＲＳのために定義された信号送信パターンは、ＣＲＳ／ＣＳＩ−ＲＳが送信されるべきサブフレームを示している。例えば、信号送信パターンは、ＣＲＳ／ＣＳＩ−ＲＳを送信するための送信期間（例えば、本例では５ｍｓ）及びサブフレームオフセットを示しても良い。ＣＲＳ／ＣＳＩ−ＲＳを送信するために使用される周波数リソースは、予め決められるか、又は、信号送信パターン、例えば、キャリアインデックス又はチャネルインデックスにより示すことができる。本例においては、ＣＲＳ／ＣＳＩ−ＲＳは、サブフレーム０及び５で送信される；しかし、サブフレーム４においては、第１の周波数帯域はビジーと検出されており、そのため、サブフレーム５における対応するＣＲＳ／ＣＳＩ−ＲＳの送信はスキップされる。
【００４９】
図３ｂにおいては、ＣＲＳ／ＣＳＩ−ＲＳ信号の適時的な送信の例が示されている。すなわち、ＣＲＳ／ＣＳＩ−ＲＳの各送信の前は、その送信のために使用されるチャネルがビジーであるか否かを検出するために、リッスンビフォートーク（ＬＢＴ：listen before talk）が実行される。本発明の一実施形態においては、その検出は、同じ周波数帯域でスケジューリングされた同時の送信がない利用可能なサブフレームの各々で実行され、ＣＲＳ／ＣＳＩ−ＲＳは、チャネルがアイドルとして検出されると、次のサブフレームで送信される。対応するチャネルがサブフレームでビジーとして検出された場合、ＣＲＳ／ＣＳＩ−ＲＳを送信する代わりに、次のサブフレームでＬＢＴの実行を継続する。その結果、ＣＲＳ／ＣＳＩ−ＲＳは非周期的に送信される。図３ｂに示される例においては、ｅＮＢは、サブフレーム０で第１の周波数帯域（例えば、非ライセンス帯域）のチャネルを検出し、それがアイドルであることを発見する。その結果、ＣＲＳ／ＣＳＩ−ＲＳは、次のサブフレーム１で送信される；そして、次のＣＲＳ／ＣＳＩ−ＲＳの送信前に、サブフレーム２でチャネル検出が再度実行され、そのチャネルはビジーとして検出される。これは、サブフレーム３でＣＲＳ／ＣＳＩ−ＲＳの送信が許可されないことを意味し、以降、チャネル検出は、サブフレーム４でチャネルがアイドルとして検出されるまで継続される。その結果、ＣＲＳ／ＣＳＩ−ＲＳは、サブフレーム５で送信される。図３ｂで例として示された適時的な送信は、より頻繁なチャネル検出という代償を払って、ＣＲＳ／ＣＳＩ−ＲＳ送信のためのより多くの機会を提供する。
【００５０】
本発明の別の実施形態においては、ステップＳ２０１で決定される信号送信パターンは、シグナリングオーバーヘッドとＣＳＩ精度とのバランスを保つために、周期的及び適時的な送信の組み合わせのための時間及び周波数リソースを定義しても良い。本発明の一実施形態においては、周期的及び適時的な送信パターンは、ＴＤＭ法で決めることができ、例えば、非ライセンス帯域のチャネルがゆっくり変わるか、又は、アイドルチャネルが容易に得られる場合には、周期的な送信を適用することができる；また、非ライセンス帯域のチャネルが迅速に変わるか、又は、ほとんどの時間においてチャネルがビジーである場合には、適時的な送信がよりよい選択になり得る。また、隣接セルのスケジューリング情報、又は、第１の周波数帯域をｅＮＢと共有するＷｉ−Ｆｉ  ＡＰの送信特性の補助情報等の他のファクターは、ステップＳ２０１で適切な信号送信パターンを決定するために考慮することできる。
【００５１】
図３ｃ及び図３ｄにおいては、信号送信パターンの別の２つの例が提供され、ＦＤＤシステム用の例が図３ｃで、ＴＤＤシステム用の例が図３ｄで提供される。これらの例においては、ステップＳ２０３で送信される少なくとも１つの信号は、ＰＳＳ及びＳＳＳからなる同期信号であると仮定している。ＰＳＳ／ＳＳＳのために決定された、図３ｃ及び図３ｄにおける信号送信パターンは、現在のＬＴＥシステムのデザインを再利用するために、現在のＬＴＥ−ＦＤＤ及びＬＴＥ−ＴＤＤの仕様とはそれぞれ矛盾していない。しかし、このようなパターンは、単に例として提供されるもので、本発明の実施形態は、これには限定されないことに留意すべきである。図３ｃに示されるように、ＦＤＤシステムについては、本発明の一実施形態に従い、ＰＳＳ及びＳＳＳの双方がサブフレーム０及び５で送信され、ＰＳＳ／ＳＳＳの各送信前の１つのサブフレームでＬＢＴが実行される。すなわち、前の無線フレームのサブフレーム９及び現在のフレームのサブフレーム４でＬＢＴが実行される。また、チャネル検出は、図３ｃで示されるサブフレーム以外の他のサブフレームで実行することができ、例えば、各ＰＳＳ／ＳＳＳ送信前の２つのサブフレームで実行することができることは、理解することができる。図３ｄは、ＬＴＥ−ＴＤＤシステムのための信号送信パターンを示しており、各無線フレームにおいて、ＰＳＳはサブフレーム１及び６で送信され、ＳＳＳはサブフレーム０及び５で送信されている。チャネル検出（又はＬＢＴ）は、図３ｃに示されたものと同じサブフレームで実行されることが示されているが、本発明はこれには限定されないことは、理解することができる。
【００５２】
本発明の一実施形態によれば、少なくとも１つの信号のうちの１つの送信のための時間及び周波数リソースは、同じ周波数リソースの受信信号パワーが閾値を超えている場合にビジーとして検出され、その閾値は、受信感度を基に決定されるか、又は、固定されるように設定可能である。本発明の一実施形態においては、閾値は、ｅＮＢの受信感度により決定することができる。本発明の別の実施形態においては、閾値は、固定することができ、例えば、８０２．１１のものと同様に−６２ｄＢｍに設定することができる。
【００５３】
本発明の別の実施形態によれば、上述したチャネル検出は、図２ｂに示されるように、ステップＳ２０３で少なくとも１つの信号の各々を送信する前に第１の周波数帯域でチャネル検出を実行し、チャネル検出の結果を基に、少なくとも１つの信号のうちの１つの送信をスキップするかどうかを決定する、追加のステップＳ２０４で実行される。本発明の別の実施形態によれば、決定の間は、最新のチャネル検出結果だけが考慮され、また、本発明の別の実施形態においては、決定の間は、チャネル検出結果及び幾つかの他の評価の双方が考慮され、例えば、その評価は、例えばＷｉ−Ｆｉステーションからの干渉送信の最大期間のための評価である。
【００５４】
本発明の別の実施形態においては、チャネル検出ステップＳ２０４は、各送信の前では実行されない。その代わりに、チャネル検出は、信号送信を利用不可能／利用可能な時間期間での予測を提供する。すなわち、Ｐ  ｍｓの期間の間、第１の周波数帯域のチャネルがアイドルであることがチャネル検出により示される場合においては、各送信間にチャネル検出を追加することなく、Ｐ  ｍｓ内の信号送信パターンに従って、信号を送信することができる。Ｐ  ｍｓの期間の間、第１の周波数帯域がビジーを継続していることがチャネル検出により示される場合においては、各スキップ前にチャネル検出を追加することなく、Ｐ  ｍｓ内の信号送信パターンにより定義された信号の全ての送信がスキップされる。
【００５５】
本発明のさらに別の実施形態においては、チャネル検出ステップＳ２０４は、ステップＳ２０１からＳ２０３を実行するｅＮＢ以外の分離されたデバイスにより実行しても良い。例えば、チャネル検出をＵＥにより実行し、一定の設定を基にその検出結果をｅＮＢに報告することができる。さらなる実施形態においては、チャネル検出は、ステップＳ２０１からＳ２０３を実行するｅＮＢに接続されたＷｉ−Ｆｉステーション又はＡＰにより実行しても良い。このような場合においては、方法は、第１の周波数帯域のためのチャネル検出の結果を受信するステップであって、図２ａ〜図２ｃに示されない受信ステップをさらに含んでも良い。本発明のさらに別の実施形態においては、ステップＳ２０１及びＳ２０２がマクロｅＮＢ１０１により実行され、その一方で、ステップＳ２０３及びＳ２０４がピコｅＮＢ１０３により実行され、ピコｅＮＢ１０３及びマクロｅＮＢ１０１はＣＡ又はデュアルコネクティビティを経由してＵＥへサービスを提供する。
【００５６】
本発明のさらに別の実施形態によれば、チャネル検出の結果を基に、少なくとも１つの信号のうちの１つの送信をスキップするかどうかを決定することは、対応するチャネルがビジーとして検出された場合に１以上の信号のうちの１つの送信をスキップすること、及び、信号送信パターンにより定義され、スキップされた送信のための対応する時間−周波数リソースでチャネル検出を継続することを含む。すなわち、図３ｄにおいて、チャネルがサブフレーム４でビジーとして検出された場合、次のサブフレーム５及び６においては、ＰＳＳ及びＳＳＳの送信が許可されず、これに対応して、チャネル検出をサブフレーム５及び６で継続しても良い。しかし、サブフレーム５及び６がアイドルとして検出され、そこにＰＳＳ及びＳＳＳがスケジューリングされている場合、同じサブフレームでのチャネル検出は回避すべきである。その理由は、デバイス内干渉（in-device interference）を回避するため、また、実装複雑性を低減するためには、同じ周波数帯域での同時の送信及び受信は防止すべきであるためである。これに対応して、信号が第１の周波数帯域で送信されている場合には、チャネル検出は同じ周波数帯域では許可されない；その一方、本発明の実施形態によれば、いったんチャネルがビジーとして検出されると、信号の送信は許可されない。すなわち、信号送信パターンにより定義された送信はスキップされ、スキップされた送信に対応するサブフレームは、チャネル検出のために使用することができる。
【００５７】
図３ｅ及び図３ｆにおいては、別の２つの例が提供され、ここでは、ステップＳ２０３で送信される少なくとも１つの信号は、それぞれＭＩＢ及びＳＩＢ１であると仮定している。図３ｅ及び図３ｆに示される信号送信パターンは、ＭＩＢ及びＳＩＢ１の送信のための周期的なリソースを示している。これらの図においては、“ＮＦ”は無線フレームのインデックスを表し、“Ｎｆ”はサブフレームのインデックスを表し、“Ｆ”は各期間の最初の送信を表し、“Ｒ”は送信の反復を表している。ＭＩＢは、４０ｍｓの送信期間が割り当てられ、最初の送信は、ＳＦＮ  ｍｏｄ  ４＝０の無線フレームのサブフレーム０にスケジューリングされ、反復は、全ての他の無線フレームのサブフレーム０にスケジューリングされていることがわかる。同様に、ＳＩＢ１は、８０ｍｓの送信期間が割り当てられ、８０ｍｓ内で反復が行われる。ＳＩＢ１の最初の送信は、ＳＦＮ  ｍｏｄ  ８＝０の無線フレームのサブフレーム５にスケジューリングされ、反復は、ＳＦＮ  ｍｏｄ  ２＝０の全ての他の無線フレームのサブフレーム５にスケジューリングされている。図３ａ〜図３ｄに示されたものと同様に、対応するチャネルがビジーとして検出された場合においては、ＭＩＢ／ＳＩＢ１の送信がスキップされる。
【００５８】
本発明の一実施形態によれば、方法２００は、第１の周波数帯域でリッスンビフォートーク（ＬＴＢ：listen before talk）動作モードを採用するかどうかを決定するステップＳ２０５をさらに含む；そして、ＬＴＢモードが、採用されると決定された場合にのみ、図２ａに示されたステップＳ２０１、Ｓ２０２、及びＳ２０３が実行される；そうでなければ、ステップＳ２０６において、任意の従来技術に従って、例えば、ライセンス帯域のための現在の標準（例えば、ＬＴＥ）で定義されるような通常の動作を実行する。１つの例が図２ｃに示されている。本発明の一実施形態によれば、第１の周波数帯域でリッスンビフォートーク（ＬＴＢ：listen before talk）動作モードを採用するかどうかを決定することは、第１の周波数帯域のための規定、及び／又は、デバイス能力、例えば、ｅＮＢ（マクロｅＮＢ１０１及び／又はピコｅＮＢ１０３）がＬＢＴ動作が可能であるかどうかといった能力に基づいている。
【００５９】
本発明の一実施形態においては、方法２００における全てのステップを、例えば、図１に示されるｅＮＢ１０１により実施することができる。一例のシナリオは、ｅＮＢ１０１が、第１及び第２の周波数帯域の双方を使用して、ＣＡを経由してＵＥ１０２へのサービスを提供する、というものにすることができる。本発明の別の実施形態においては、方法２００における幾つかのステップを、例えば、図１に示されるｅＮＢ１０１で実施し、その一方で、他のステップを、他のネットワークノード、例えば、図１に示されるピコｅＮＢ１０３で実施することができる。このための一例のシナリオは、ｅＮＢ１０１及びｅＮＢ１０３が、第１及び第２の周波数帯域をそれぞれ使用して、デュアルコネクティビティを経由してＵＥ１０２へのサービスを提供する、というものにすることができる。一例においては、ステップＳ２０１及びＳ２０２をｅＮＢ１０１により実行し、その一方で、ステップＳ２０３（又は、ステップ２０３からＳ２０５）をｅＮＢ１０３により実行することができる。これには、ｅＮＢ１０１とｅＮＢ１０３との間で幾つかのシグナリング交換が必要になるかもしれないが、シグナリング交換のためのｅＮＢ間インタフェース（inter-eNB interfacing）は周知であるため、ここでは詳細な説明は省略する。さらに、これらは単なる例であり、他の実施ができること、例えば、ステップＳ２０１、Ｓ２０２、及びＳ２０５をｅＮＢ１０１により実行し、その一方で、ステップＳ２０３からＳ２０４をｅＮＢ１０３により実行することができることには留意すべきである。
【００６０】
ＣＲＳ／ＣＳＩ−ＲＳ、ＰＳＳ／ＳＳＳ、ＭＩＢ／ＳＩＢ１のための幾つかの具体的な信号送信パターンが示されたが、本発明の実施形態がこれらの信号及び信号送信パターンには限定されないことは理解されるべきであり、任意の他の信号も、方法２００の同じ原理に従っている第１の周波数帯域（例えば、非ライセンス帯域）で送信することができる。
【００６１】
ここで、図４を参照すると、無線通信ネットワークにおける信号受信のための方法４００の例であるフローチャートが示されている。この方法は、例えば、図１に示されたＵＥ１０２により実施することができる。この方法は、第１の周波数帯域（例えば、非ライセンス周波数帯域）で使用される信号送信パターンであって、少なくとも１つの信号を送信するための時間及び周波数リソースを定義する信号送信パターンを示す設定シグナリング（configuration signaling）を、第２の周波数帯域（例えば、ライセンス周波数帯域）を経由して受信するステップＳ４０１；及び、信号送信パターンに従って、少なくとも１つの信号を、第１の周波数帯域で受信するステップＳ４０２を含む。
【００６２】
本発明の一実施形態によれば、ステップＳ４０２で受信される少なくとも１つの信号は、図３ａ〜図３ｆを参照して説明した方法２００に従って、ステップＳ２０３でｅＮＢにより送信される信号であり、及び／又は、ステップＳ４０１で受信される信号送信パターンは、図２ａ〜図２ｃ及び図３ａ〜図３ｆを参照して説明した方法２００に従って、ステップＳ２０２でｅＮＢにより送信される。そのため、図３ａ〜図３ｆを参照して、少なくとも１つの信号及び信号送信パターンのために説明された特徴は、図４にも適用されるため、ここでは、これらの詳細な説明は繰り返さない。例えば、信号送信パターンは、周期的な送信、適時的な送信、及びこれらの組み合わせのうちの１つのための時間及び周波数リソースを定義する；また、少なくとも１つの信号は、参照信号、同期信号、及び制御シグナリングのうちの少なくとも１つを含む。
【００６３】
本発明の一実施形態によれば、第１の周波数帯域及び／又は第２の周波数帯域は、マルチキャリアを有する。本発明の別の実施形態によれば、図２ａ〜図２ｃを参照して説明したように、第１の周波数帯域の少なくとも１つのキャリア、及び、第２の周波数帯域の少なくとも１つのキャリアは、キャリアアグリゲーション又はデュアルコネクティビティとしてデバイスのために設定される。
【００６４】
本発明のさらなる実施形態によれば、ステップＳ４０１においては、設定シグナリングは、第１の装置（例えば、マクロｅＮＢ１０１）から受信され、その一方で、ステップＳ４０２においては、少なくとも１つの信号は、第１の装置とは異なる第２の装置（例えば、ピコｅＮＢ１０３）から受信される。
【００６５】
幾つかの代替の実装において留意すべきは、フローチャートに示された方法のステップは、図に示されるものとは異なる順番で発生し得ることにある。例えば、２つの順番に示されたブロックは、取り込まれる機能に依存して、実質的に並行に又は時々は逆の順序で実行することができる。
【００６６】
また、図２ａ及び図２ｂを参照して説明した方法は、ソフトウェア、ハードウェア、ファームウェア、又はこれらの任意の組み合わせ、例えば、プロセッサ、コンピュータ可読記憶媒体に格納されたコンピュータプログラミングコード等による、様々な方法で実施することができる。
【００６７】
ここで、図５ａを参照すると、本発明の一実施形態による、無線通信ネットワークにおける信号送信のためのデバイス５００のブロック図が示されている。図５ａのデバイス５００は、図１のｅＮＢ１０１とすることができ、図２ａ〜図２ｃを参照して説明した方法を実行しても良いが、これらの方法には限定されない。また、上述した、例えば、図２ａ〜図２ｃを参照して説明した任意の特徴は、以下で説明するデバイス５００にも適用することができる。図２ａを参照して説明した方法は、図５ａのデバイス５００により実行しても良いが、このデバイス５００により実行されることには限定されないことに留意されたい。本発明の一実施形態においては、デバイス５００は、図１に示されるｅＮＢ１０１以外の他のネットワークノードとしても良く、例えば、中継ノード、ＷＬＡＮ  ＡＰ等とすることができる。
【００６８】
図５ａに示されるように、デバイス５００は、少なくとも１つの信号を第１の周波数帯域（例えば、ライセンス周波数帯域）で送信するための時間及び周波数リソースを定義する信号送信パターンを決定するように構成される決定ユニット５０１；信号送信パターンを、第２の周波数帯域（例えば、非ライセンス周波数帯域）を経由して第１のデバイスへシグナリングするように構成される第１の送信ユニット５０２；及び、信号送信パターンに従って、少なくとも１つの信号を、第１の周波数帯域を経由して第１のデバイスへ送信し、少なくとも１つの信号のうちの１つの送信を、信号送信パターンにより定義されたその送信のための時間周波数リソースがビジーとして検出された場合に、スキップするように構成される第２の送信ユニット５０３を有している。
【００６９】
本発明の一実施形態によれば、第１の周波数帯域及び／又は第２の周波数帯域は、マルチキャリアを有する。本発明の別の実施形態によれば、第１の周波数帯域の少なくとも１つのキャリア、及び、第２の周波数帯域の少なくとも１つのキャリアは、キャリアアグリゲーション又はデュアルコネクティビティとして第１のデバイスのために設定される。
【００７０】
本発明の一実施形態によれば、ユニット５０１から５０３は、図２ａ〜図２ｃを参照してそれぞれ説明したステップ２０１から２０３を実行するために設定される。
【００７１】
本発明の別の実施形態においては、決定ユニット５０１により決定される信号送信パターンは、周期的な送信、適時的な送信、及びこれらの組み合わせのうちの１つのための時間及び周波数リソースを定義することができる。例えば、信号送信パターンは、図３ａ〜図３ｆを参照して説明したパターンのうちの任意なものとすることができるが、これには限定されない。
【００７２】
本発明の一実施形態によれば、第２の送信ユニット５０３により送信される少なくとも１つの信号は、参照信号、同期信号、及び制御シグナリングのうちの少なくとも１つを含む。例えば、少なくとも１つの信号は、図３ａ〜図３ｆに示されるように、ＣＲＳ／ＣＳＩ−ＲＳ、ＰＳＳ／ＳＳＳ、及び／又は、ＭＩＢ／ＳＩＢ１とすることができる。
【００７３】
本発明の一実施形態においては、デバイス５００は、少なくとも１つの信号の各々を送信する前に、第１の周波数帯域でチャネル検出を実行するように構成されるチャネル検出ユニット５０４をさらに有し、また、第２の送信ユニット５０３はさらに、チャネル検出ユニット５０４により得られたチャネル検出の結果を基に、少なくとも１つの信号のうちの１つの送信をスキップするかどうかを決定するように構成される。本発明の別の実施形態においては、第２の送信ユニット５０３はさらに、チャネル検出ユニット５０４により、対応するチャネルがビジーとして検出された場合に、少なくとも１つの信号のうちの１つの送信をスキップするように構成される；また、チャネル検出ユニット５０４はさらに、信号送信パターンにより定義され、スキップされた送信のための対応する時間及び周波数リソースでチャネル検出を継続するように構成される。このような実装は、デバイス内干渉（in-device interference）を回避するため、また、実装複雑性を低減するために、同じ周波数帯域での同時の送信及び受信は防止すべきであることを考慮したものである。これに対応して、第２の送信ユニット５０３が第１の周波数帯域で送信している場合には、チャネル検出ユニット５０４は、同じ周波数帯域でチャネル検出を実行することを許可されない；その一方、本発明の実施形態によれば、いったんチャネルがビジーとして検出されると、第２の送信ユニットは、送信が許可されない。すなわち、信号送信パターンにより定義された送信はスキップされ、スキップされた送信に対応するサブフレームは、チャネル検出ユニット５０４によりチャネル検出のために使用することができる。
【００７４】
本発明の別の実施形態においては、チャネル検出ユニット５０４は、少なくとも１つの信号の各々を送信する前に、第１の周波数帯域でチャネル検出を実行するようには構成されない。その代わりに、チャネル検出ユニット５０４は、信号送信を利用不可能／利用可能な時間期間での予測を提供するように構成される。すなわち、Ｐ  ｍｓの期間の間、第１の周波数帯域のチャネルがアイドルであることがチャネル検出により示される場合においては、各送信間にチャネル検出ユニット５０４により実行されるチャネル検出を追加することなく、Ｐ  ｍｓ内の信号送信パターンに従って、第２の送信ユニット５０３により信号を送信することができる。Ｐ  ｍｓの期間の間、第１の周波数帯域がビジーを継続していることがチャネル検出により示される場合においては、各スキップ前にチャネル検出ユニット５０４により実行されるチャネル検出を追加することなく、第２の送信ユニット５０３は、Ｐ  ｍｓ内の信号送信パターンにより定義された信号の全ての送信をスキップするように構成される。
【００７５】
本発明のさらに別の実施形態においては、チャネル検出は、ｅＮＢのチャネル検出ユニット５０４以外の分離されたデバイスにより実行しても良い。例えば、チャネル検出をＵＥにより実行し、一定の設定を基にその検出結果をｅＮＢに報告することができる。さらなる実施形態においては、チャネル検出は、ｅＮＢに接続されたＷｉ−Ｆｉステーション又はＡＰで実行しても良い。このような場合においては、デバイス５００は、第１の周波数帯域のためのチャネル検出の結果を受信するユニットであって、図５ａに示されない受信ユニットをさらに含んでも良い。
【００７６】
本発明の一実施形態においては、少なくとも１つの信号のうちの１つの送信のための時間及び周波数リソースは、同じ周波数リソースの受信信号パワーが閾値を超えている場合にビジーとして検出され、その閾値は、受信感度を基に決定されるか、又は、固定されるように設定可能である。本発明の一実施形態においては、閾値は、ｅＮＢの受信感度を基にｅＮＢにより決定することができる。本発明の別の実施形態においては、閾値は、固定値として、例えば、８０２．１１のものと同様に−６２ｄＢｍに設定することができる。
【００７７】
本発明のさらなる実施形態においては、デバイスは、第１の周波数帯域でリッスンビフォートークＬＴＢ動作モードを採用するかどうかを決定するように構成されるモード決定ユニット５０５をさらに有する；そして、モード決定ユニット５０５がＬＴＢモードを採用すると決定した場合にのみ、ユニット５０１〜５０４は、上述のような対応する機能を実行するように構成される；そうでなければ、任意の従来技術に従って、例えば、ライセンス帯域のための現在の標準（例えば、ＬＴＥ）で定義されるような通常の動作を実行する。本発明の一実施形態によれば、第１の周波数帯域でリッスンビフォートーク（ＬＴＢ：listen before talk）動作モードを採用するかどうかを決定することは、第１の周波数帯域のための規定、及び／又は、デバイス能力、例えば、ｅＮＢ（マクロｅＮＢ及び／又はピコｅＮＢ）がＬＢＴ動作が可能であるかどうかといった能力に基づいている。
【００７８】
本発明の別の実施形態によれば、全てのユニット５０１〜５０５は、同じデバイス、例えば、図１に示されるｅＮＢ１０１に実装される。本発明の別の実施形態においては、ユニット５０１〜５０５の幾つかはデバイスに実装され、その一方で、他のユニットは別のデバイスに実装される。すなわち、デバイス５００は、分散型システムである。このような実施形態の一例は図５ｂに示されており、ここでは、ユニット５０１及び５０２（又は、５０１、５０２、及び５０５）はマクロｅＮＢ１０１に実装され、その一方で、ユニット５０３（又は、５０３及び５０４）はピコｅＮＢ１０３に実装されている。しかし、図５ｂの例は、単なる図示の目的のためであり、分散型デバイス５００の他の構成も可能であることは、理解することができる。例えば、全てのユニット５０１〜５０５は、同じデバイス、例えば、スモールセルｅＮＢに実装しても良い。これらの例の実施形態は、例えば、ｅＮＢ１０１及びｅＮＢ１０３が、第１及び第２の周波数帯域をそれぞれ使用して、デュアルコネクティビティを経由してＵＥ１０２へのサービスを提供するシナリオにおいて実施することができる。このような場合において、ｅＮＢ１０１及びｅＮＢ１０３に実装される他の追加のユニット、例えば、両者の間でシグナリング交換をするユニットが存在し得ることは容易に理解することができるが、シグナリング交換のためのｅＮＢ間インタフェースは周知であるため、ここでは詳細な説明は省略する。
【００７９】
幾つかの実施形態においては、第１の周波数帯域は非ライセンス周波数帯域であり、第２の周波数帯域はライセンス周波数帯域であるが、本発明の実施形態はこれには限定されないことに留意すべきである。デバイス５００は、任意の他のシナリオ、例えば、第１の周波数帯域及び第２の周波数帯域の双方がライセンス又は非ライセンス帯域であるシナリオにも適用することができる。一例としては、第２の周波数帯域が、１つのセル専用のプライマリキャリアであり、その一方で、第１の周波数帯域が、複数のセル又は複数のネットワーク／オペレータで利用可能な共有キャリアである例とすることができ、第１の周波数帯域での任意の送信のために、ｅＮＢは、他のセル／無線システムからの／への干渉を回避／低減するために上述した原理に従うことができる。
【００８０】
ここで、図６を参照すると、無線通信ネットワークにおける信号受信のためのデバイス６００のブロック図が示されている。本発明の一実施形態によれば、デバイス６００は、第１の周波数帯域で使用される信号送信パターンであって、少なくとも１つの信号を送信するための時間及び周波数リソースを定義する信号送信パターンを示す設定シグナリングを、第２の周波数帯域を経由して、受信するように構成される第１の受信ユニット６０１；及び、信号送信パターンに従って、少なくとも１つの信号を、第１の周波数帯域を経由して受信するように構成される第２の受信ユニット６０２を有している。
【００８１】
本発明の一実施形態によれば、デバイス６００は、図２ａ〜図２ｃを参照して説明した方法を実行しても良いが、これらの方法には限定されない。そして、上述した、例えば、図２ａ〜図２ｃを参照して説明した任意の特徴は、適切であれば、以下で説明するデバイス６００にも適用することができる。図２ａ〜図２ｃを参照して説明した方法は、図６のデバイス６００により実行しても良いが、このデバイス６００により実行されることには限定されないことに留意されたい。デバイス６００は、例えば、図１に示されるＵＥ１０２としても良い。
【００８２】
本発明の一実施形態によれば、第２の受信ユニット６０２により受信される少なくとも１つの信号は、図２ａ〜２ｃ及び図３ａ〜３ｆを参照して説明した方法２００に従って、ステップ２０３でｅＮＢにより送信される信号であり、及び／又は、第１の受信ユニット６０１により受信される信号送信パターンは、図２ａ〜２ｃ及び図３ａ〜３ｆを参照して説明した方法２００に従って、ステップ２０２でｅＮＢにより送信される。そのため、図２ａ〜２ｃ及び図３ａ〜３ｆを参照して、少なくとも１つの信号及び信号送信パターンのために説明された特徴は、図６にも適用され、ここでは、これらの詳細な説明は繰り返さない。例えば、信号送信パターンは、周期的な送信、適時的な送信、及びこれらの組み合わせのうちの１つのための時間及び周波数リソースを定義する；また、少なくとも１つの信号は、参照信号、同期信号、及び制御シグナリングのうちの少なくとも１つを含む。
【００８３】
本発明の一実施形態によれば、信号送信パターンは、性能を満たすことを保証するために、ライセンス帯域を経由して、第１の受信ユニット６０１により受信され、その一方で、少なくとも１つの信号は、非ライセンス帯域を経由して、第２の受信ユニット６０２により受信される；しかし、本発明の実施形態はこれには限定されない。
【００８４】
本発明の一実施形態によれば、第１の周波数帯域及び／又は第２の周波数帯域は、マルチキャリアを有する。本発明の別の実施形態によれば、図２ａ〜図２ｃを参照して説明したように、第１の周波数帯域の少なくとも１つのキャリア、及び、第２の周波数帯域の少なくとも１つのキャリアは、キャリアアグリゲーション又はデュアルコネクティビティとしてＵＥ１０２のために設定される。
【００８５】
本発明のさらなる実施形態によれば、受信ユニット６０１においては、設定シグナリングは、第１の装置（例えば、マクロｅＮＢ１０１）から受信され、その一方で、受信ユニット６０２においては、少なくとも１つの信号は、第１の装置とは異なる第２の装置（例えば、ピコｅＮＢ１０３）から受信される。
【００８６】
図面におけるフローチャート及びブロック図は、本発明の様々な実施形態に従って、実施可能なシステムの構造、機能、動作、方法、及び装置を示している。この点において、フローチャート又はブロック図の各ブロックは、モジュールの一部、プログラムセグメント、又はコードを表すことができ、モジュールの一部、プログラムセグメント、又はコードは、規定されたロジック機能を実行するための１つ以上の実行可能な命令を有している。方法及びデバイスは、図示されたもの以外の他のステップ／機能ブロックを有しても良いことは理解され得る。また、ブロック図及び／又はフローチャートの各ブロック、及び、ブロック図及び／又はフローチャートのブロックの組み合わせは、ソフトウェア、ハードウェア、ファームウェア、又はこれらの任意の組み合わせにより実行することができることに留意すべきである。さらに、幾つかの実施形態においては、ブロックの機能は、複数のブロックにより実行することができ、また、他の実施形態においては、図５ａ、図５ｂ、及び図６に示される複数のブロックの機能は、単一のブロックにより実行しても良いことは理解されるべきである。
【００８７】
実施形態は、本明細書で説明した様々なプロセスに関連する情報を格納することができ、例えば、チャネル検出結果、受信された信号送信パターン等を格納することができる。実施形態のコンポーネントは、本発明の教示に従って、コンピュータ可読記録媒体又はメモリーを含むことができ、これらは、データ構造、テーブル、レコード、及び／又は本明細書で説明した他のデータ、又は、発明の実施形態に従った任意の方法を実行するためのプログラムコードを保持する。
【００８８】
本発明について、多くの実施形態及び実施に関連して説明したものの、本発明は限定されず、むしろ、見込まれる（prospective）クレームの範囲内にある、様々な修正、及び同等の構成をカバーする。当業者であれば、技術の進歩により、本発明の基本的なアイデアを様々な方法で実行しても良いことは明らかである。そのため、本発明及びその実施形態は、上述した例に限定されない；その代わりに、これらはクレームの範囲内で変更しても良い。
【図１】
2017501632.tif 000003
【図２ａ】
2017501632.tif 000004
【図２ｂ】
2017501632.tif 000005
【図２ｃ】
2017501632.tif 000006
【図３ａ】
2017501632.tif 000007
【図３ｂ】
2017501632.tif 000008
【図３ｃ】
2017501632.tif 000009
【図３ｄ】
2017501632.tif 000010
【図３ｅ】
2017501632.tif 000011
【図３ｆ】
2017501632.tif 000012
【図４】
2017501632.tif 000013
【図５ａ】
2017501632.tif 000014
【図５ｂ】
2017501632.tif 000015
【図６】
2017501632.tif 000016
【手続補正書】
【提出日】平成28年6月16日(2016.6.16)
【手続補正１】
【補正対象書類名】明細書
【補正対象項目名】０００２
【補正方法】変更
【補正の内容】
【０００２】
無線通信においては、データ転送速度の高速化の要求が増え続けており、第３世代パートナーシッププロジェクト（３ＧＰＰ：third generation partnership project）により展開されたロングタームエボリューション（ＬＴＥ：Long Term Evolution）は、そのような要求を満たし、大きな成功を収めたプラットフォームであることが明らかになっている。近年、ＬＴＥは、多くの様々な国／地域に広く展開されている。ＬＴＥシステムは、他のシステムとの干渉を回避するために、また、通信性能を満たすことを保証するために、専用のライセンス周波数帯域で動作するようにデザインされている。しかし、データ転送速度の高速化の要求が増え続けると、それと同時に、利用可能なライセンス周波数リソースが少なくなり、ますますセルラーネットワークオペレータは、彼らが提供するサービスを増加させるために、無料ツール（complimentary tool）として非ライセンススペクトラムを利用することを真剣に考え始めることになる。
【手続補正２】
【補正対象書類名】明細書
【補正対象項目名】００１６
【補正方法】変更
【補正の内容】
【００１６】
本発明のさらなる実施形態によれば、前記方法は、前記第１の周波数帯域でリッスンビフォートーク（ＬＢＴ：listen before talk）動作モードを採用するかどうかを決定すること、及び、リッスンビフォートークモードが採用されると決定された場合にのみ、決定、シグナリング、送信、及びスキップのステップを実行することをさらに含む。本発明の一実施形態によれば、前記第１の周波数帯域でリッスンビフォートーク（ＬＢＴ）動作モードを採用するかどうかを決定することは、前記第１の周波数帯域のための規定、及び／又は、前記デバイスの能力、例えば、ｅＮＢがＬＢＴ動作が可能であるかどうかといった能力に基づいている。
【手続補正３】
【補正対象書類名】明細書
【補正対象項目名】００５８
【補正方法】変更
【補正の内容】
【００５８】
本発明の一実施形態によれば、方法２００は、第１の周波数帯域でリッスンビフォートーク（ＬＢＴ：listen before talk）動作モードを採用するかどうかを決定するステップＳ２０５をさらに含む；そして、ＬＢＴモードが、採用されると決定された場合にのみ、図２ａに示されたステップＳ２０１、Ｓ２０２、及びＳ２０３が実行される；そうでなければ、ステップＳ２０６において、任意の従来技術に従って、例えば、ライセンス帯域のための現在の標準（例えば、ＬＴＥ）で定義されるような通常の動作を実行する。１つの例が図２ｃに示されている。本発明の一実施形態によれば、第１の周波数帯域でリッスンビフォートーク（ＬＢＴ：listen before talk）動作モードを採用するかどうかを決定することは、第１の周波数帯域のための規定、及び／又は、デバイス能力、例えば、ｅＮＢ（マクロｅＮＢ１０１及び／又はピコｅＮＢ１０３）がＬＢＴ動作が可能であるかどうかといった能力に基づいている。
【手続補正４】
【補正対象書類名】明細書
【補正対象項目名】００７７
【補正方法】変更
【補正の内容】
【００７７】
本発明のさらなる実施形態においては、デバイスは、第１の周波数帯域でリッスンビフォートークＬＢＴ動作モードを採用するかどうかを決定するように構成されるモード決定ユニット５０５をさらに有する；そして、モード決定ユニット５０５がＬＢＴモードを採用すると決定した場合にのみ、ユニット５０１〜５０４は、上述のような対応する機能を実行するように構成される；そうでなければ、任意の従来技術に従って、例えば、ライセンス帯域のための現在の標準（例えば、ＬＴＥ）で定義されるような通常の動作を実行する。本発明の一実施形態によれば、第１の周波数帯域でリッスンビフォートーク（ＬＢＴ：listen before talk）動作モードを採用するかどうかを決定することは、第１の周波数帯域のための規定、及び／又は、デバイス能力、例えば、ｅＮＢ（マクロｅＮＢ及び／又はピコｅＮＢ）がＬＢＴ動作が可能であるかどうかといった能力に基づいている。
【手続補正５】
【補正対象書類名】特許請求の範囲
【補正対象項目名】全文
【補正方法】変更
【補正の内容】
【特許請求の範囲】
【請求項１】
無線通信ネットワークにおける信号送信のための方法であって、
少なくとも１つの信号を第１の周波数帯域で送信するための時間及び周波数リソースを定義する信号送信パターンを決定すること、
前記信号送信パターンを、第２の周波数帯域を経由して第１のデバイスへシグナリングすること、及び
前記信号送信パターンに従って、前記少なくとも１つの信号を、前記第１の周波数帯域を経由して前記第１のデバイスへ送信し、前記少なくとも１つの信号のうちの１つの送信を、前記信号送信パターンにより定義されたその送信のための時間及び周波数リソースがビジーとして検出された場合に、スキップすること、を含む方法。
【請求項２】
前記少なくとも１つの信号の各々を送信する前に、前記第１の周波数帯域でチャネル検出を実行すること、及び
前記チャネル検出の結果を基に、前記少なくとも１つの信号のうちの１つの送信をスキップするかどうかを決定すること、をさらに含む、請求項１に記載の方法。
【請求項３】
前記少なくとも１つの信号は、参照信号、同期信号、及び制御シグナリングのうちの少なくとも１つを含む、請求項１に記載の方法。
【請求項４】
前記少なくとも１つの信号のうちの１つの送信のための前記時間及び周波数リソースは、同じ周波数リソースの受信信号パワーが閾値を超えた場合にビジーとして検出され、前記閾値は、受信感度を基に決定されるか、又は、固定されるように設定可能である、請求項１に記載の方法。
【請求項５】
前記第１の周波数帯域は非ライセンス周波数帯域であり、前記第２の周波数帯域はライセンス周波数帯域である、請求項１から４のいずれかに記載の方法。
【請求項６】
無線通信ネットワークにおける信号受信のための方法であって、
第１の周波数帯域で使用される信号送信パターンであって、少なくとも１つの信号を送信するための時間及び周波数リソースを定義する信号送信パターンを示す設定シグナリング（configuration signaling）を、第２の周波数帯域を経由して受信すること、及び
前記信号送信パターンに従って、前記少なくとも１つの信号を、前記第１の周波数帯域を経由して受信すること、を含む方法。
【請求項７】
前記少なくとも１つの信号は、参照信号、同期信号、及び制御シグナリングのうちの少なくとも１つを含む、請求項６に記載の方法。
【請求項８】
前記第１の周波数帯域は非ライセンス周波数帯域であり、前記第２の周波数帯域はライセンス周波数帯域である、請求項６から７のいずれかに記載の方法。
【請求項９】
無線通信ネットワークにおける信号送信のためのデバイスであって、
少なくとも１つの信号を第１の周波数帯域で送信するための時間及び周波数リソースを定義する信号送信パターンを決定するように構成される決定ユニット、
前記信号送信パターンを、第２の周波数帯域を経由して第１のデバイスへシグナリングするように構成される第１の送信ユニット、及び
前記信号送信パターンに従って、前記少なくとも１つの信号を、前記第１の周波数帯域を経由して前記第１のデバイスへ送信し、前記少なくとも１つの信号のうちの１つの送信を、前記信号送信パターンにより定義されたその送信のための時間及び周波数リソースがビジーとして検出された場合に、スキップするように構成される第２の送信ユニット、を有するデバイス。
【請求項１０】
前記少なくとも１つの信号の各々を送信する前に、前記第１の周波数帯域でチャネル検出を実行するように構成されるチャネル検出ユニットをさらに有し、
前記第２の送信ユニットはさらに、前記チャネル検出の結果を基に、前記少なくとも１つの信号のうちの１つの送信をスキップするかどうかを決定するように構成される、請求項９に記載のデバイス。
【請求項１１】
前記少なくとも１つの信号は、参照信号、同期信号、及び制御シグナリングのうちの少なくとも１つを含む、請求項９に記載のデバイス。
【請求項１２】
前記少なくとも１つの信号のうちの１つの送信のための前記時間及び周波数リソースは、同じ周波数リソースの受信信号パワーが閾値を超えた場合にビジーとして検出され、前記閾値は、受信感度を基に決定されるか、又は、固定されるように設定可能である、請求項９に記載のデバイス。
【請求項１３】
前記第１の周波数帯域は非ライセンス周波数帯域であり、前記第２の周波数帯域はライセンス周波数帯域である、請求項９から１２のいずれかに記載のデバイス。
【請求項１４】
無線通信ネットワークにおける信号受信のためのデバイスであって、
第１の周波数帯域で使用される信号送信パターンであって、少なくとも１つの信号を送信するための時間及び周波数リソースを定義する信号送信パターンを示す設定シグナリング（configuration signaling）を、第２の周波数帯域を経由して受信するように構成される第１の受信ユニット、及び
前記信号送信パターンに従って、前記少なくとも１つの信号を、前記第１の周波数帯域を経由して受信するように構成される第２受信ユニット、を有するデバイス。
【請求項１５】
前記少なくとも１つの信号は、参照信号、同期信号、及び制御シグナリングのうちの少なくとも１つを含む、請求項１４に記載のデバイス。
【請求項１６】
前記第１の周波数帯域は非ライセンス周波数帯域であり、前記第２の周波数帯域はライセンス周波数帯域である、請求項１４から１５のいずれかに記載のデバイス。
【手続補正６】
【補正対象書類名】図面
【補正対象項目名】図２ｃ
【補正方法】変更
【補正の内容】
【図２ｃ】
2017501632.tif 000017
【国際調査報告】
2017501632.tif 000018
2017501632.tif 000019